(57)【要約】【課題】  設けられた仕切板の位置変更が容易で、仕切板下部に突出部を設けることなく、しかも全体的に強度をもたせた収納装置を提供する。【解決手段】  左右両側壁２００，２１０と床面１００で囲まれる空間に設けられ、左右両側壁２００，２１０間に架設される天板３と、天板３と床面１００に挟まれる空間内に設けられ、左右方向に間隔をおいて配置される二つの仕切板１１，１２と、仕切板１１，１２間に設けられる棚板３１，３２と、からなる収納装置であって、仕切板１１，１２は、天板３に着脱可能な結合部材５０によって固定されるとともに、仕切板１１，１２の取付位置を、左右方向の所定位置に変更可能にし、しかも、仕切板１１は、少なくとも一枚の、結合部材５０によって固定される固定用の棚板３１によって、隣接する仕切板１２に固定されるようにした。【選択図】      図１
2007039881.tif 000002
【特許請求の範囲】
【請求項１】
左右両側壁と床面で囲まれる空間に設けられ、
前記左右両側壁間に架設される天板と、
前記天板と床面に挟まれる空間内に設けられ、左右方向に間隔をおいて配置される二以上の仕切板と、
前記仕切板のうち隣接する仕切板間に設けられる棚板と、からなる収納装置であって、
前記仕切板は、前記天板に着脱可能な結合部材によって固定されるとともに、前記仕切板の取付位置を、前記左右方向の所定位置に変更可能にし、しかも、各仕切板は、少なくとも一枚の、結合部材によって固定される固定用の棚板によって、前記隣接する仕切板に固定されるようにしたことを特徴とする収納装置。
【請求項２】
一つの側壁と床面で囲まれる角部に設けられ、
板面が前記床面に平行に配置されるように、一端が、前記一つの側壁に支持される天板と、
前記天板と床面に挟まれる空間内に設けられ、前記一つの側壁に垂直な左右方向に間隔をおいて配置される二以上の仕切板と、
前記仕切板のうち隣接する仕切板間に設けられる棚板と、からなる収納装置であって、
前記仕切板は、前記天板に着脱可能な結合部材によって固定されるとともに、前記仕切板の取付位置を、前記左右方向の所定位置に変更可能にし、しかも、各仕切板は、少なくとも一枚の、結合部材によって固定される固定用の棚板によって、前記隣接する仕切板に固定されるようにしたことを特徴とする収納装置。
【請求項３】
前記仕切板のうち、前記一つの側壁から最も離れた仕切板は、前記天板の他端に固定されることを特徴とする請求項２に記載の収納装置。
【請求項４】
前記天板の、天板と床面に挟まれる空間の背面側は、下側に折り曲げられ、その折り曲げ部は前記背面側に設けられた奥壁に取付けられ、前記仕切板は、前記天板の水平部に加え、前記背面側の折り曲げ部にも固定されることを特徴とする請求項１乃至３のうちいずれか一つに記載の収納装置。
【請求項５】
前記天板の、天板と床面に挟まれる空間の前面側は、下側に折り曲げられ、前記仕切板は、前記天板の水平部に加え、前記前面側の折り曲げ部にも固定されることを特徴とする請求項１乃至４のうちいずれか一つに記載の収納装置。
【請求項６】
前記仕切板は、前記天板と床面に挟まれる空間の背面側に設けられた奥壁に取付けられた取付板にも固定されることを特徴とする請求項１乃至５のうちいずれか一つに記載の収納装置。
【請求項７】
奥壁と床面で囲まれる角部に設けられ、
左右両側板と、
その左右両側板の背面側に設けられ、前記奥壁に取付けられる取付板と、
前記左右両側板と床面に挟まれる空間内に設けられ、その空間を左右に分割する一又は二以上の仕切板と、
前記仕切板が一の場合には前記仕切板と前記側板の間に設けられ、前記仕切板が二以上の場合には隣接する仕切板間又は隣接する側板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する側板又は前記隣接する仕切板に固定されるようにしたことを特徴とする収納装置。
【請求項８】
一つの側壁と奥壁と床面で囲まれる角部に設けられ、
前記一つの側壁に垂直な左右方向に間隔をおいて配置される一枚の側板と、
その一枚の側板の背面側に設けられ、前記奥壁に取付けられる取付板と、
前記一つの側壁と一枚の側板と床面に挟まれる空間内に設けられ、その空間を左右に分割する一又は二以上の仕切板と、
前記仕切板が一の場合には前記仕切板と前記側板の間に設けられ、前記仕切板が二以上の場合には隣接する仕切板間又は隣接する側板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する側板又は前記隣接する仕切板に固定されるようにしたことを特徴とする収納装置。
【請求項９】
左右両側壁と奥壁と床面で囲まれる空間に設けられ、
前記奥壁に取付けられる取付板と、
前記空間内に設けられ、左右方向に間隔をおいて配置される二以上の仕切板と、
前記仕切板のうち隣接する仕切板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する仕切板に固定されるようにしたことを特徴とする収納装置。
【請求項１０】
奥壁と床面で囲まれる角部に設けられ、
前記奥壁に取付けられる取付板と、
前記奥壁と床面と、それらに垂直で前記取付板の左右端部に位置する平面とで挟まれる空間内に設けられ、その空間を左右に分割する二以上の仕切板と、
前記仕切板のうち隣接する仕切板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する仕切板に固定されるようにしたことを特徴とする収納装置。
【請求項１１】
前記取付板は、水平に延びる上下２本の板材であることを特徴とする請求項６乃至１０のうちいずれか一つに記載の収納装置。
【請求項１２】
前記仕切板は、床面に固定部材を使用しての固定はされていないことを特徴とする請求項１乃至１１のうちいずれか一つに記載の収納装置。
【請求項１３】
前記仕切板の下面には、仕切板の前記左右より突出することがないように仕切板の厚みよりも狭く、かつ床面に損傷を与えない固定部材が設けられ、仕切板は、その固定部材を使用して床面に固定されていることを特徴とする請求項１乃至１１のうちいずれか一つに記載の収納装置。
【請求項１４】
前記固定用の棚板にかえて、結合部材によって固定されるパイプを使用したことを特徴とする請求項１乃至１３のうちいずれか一つに記載の収納装置。
【発明の詳細な説明】
【技術分野】
【０００１】
本発明は、例えばクローゼットの内部等に設けられる収納装置に関するものである。
【背景技術】
【０００２】
近年、収納に関して、従来からの箪笥に代わってクローゼット、特に内部が広いウォークインクローゼット等の収納装置を採用する例が増えている。
これは従来からの納戸あるいは大型の箪笥の融合・発展型ともいえるもので、衣類のみならず鞄、扇風機、ストーブ、スキー、釣竿、寝具、その他雑多な各種家庭用品の保管に使用される場合が多い。従って、収納される物品は様々なサイズである。
【０００３】
クローゼットの施工について、大工が施工現場で合板や角材等を切断・加工して取り付ける場合は、固定棚を適当な間隔で完全固定して施工する場合もあったが、近年は各社からクローゼットに使用される各種棚が考案・発売されている。一般的には、箪笥のような通常の収納では左右の側板と上下の板（天板、地板）で箱体を形成し、これに扉と棚等を取り付けるが、ウォークインクローゼットの場合は一般的に棚を作り付けとするので、地板に相当する部材は使用されない場合が大半である。
【０００４】
例えば、特許文献１〜３のように、パイプや側板と天板等で枠体を形成し、棚板を設置していくシステム的な収納内部装置が一般化している。また、棚板の幅を可変式とした特許文献４〜７等が提案されている。棚の奥行きが可変式となった特許文献８も開示されている。棚位置が可変式となった棚はこれらの物品のサイズに対応できるようになっていて、棚の高さが簡単に変えられるようになっている。側板（仕切板）の位置が変更可能な例としては、特許文献９，１０があげられ、更に、棚の幅と高さが同時に変更可能な特許文献１１も開示されている。
【特許文献１】特開平７−２７５０５１号公報
【特許文献２】特開平７−３２７７５４号公報
【特許文献３】特許第２６５１０００号
【特許文献４】実開平２−４５０３２号公報
【特許文献５】実公平６−２０４２２号公報
【特許文献６】実開昭６２−７３７３６号公報
【特許文献７】実開平７−４３０４６号公報
【特許文献８】特開２０００−２１７６４４号公報
【特許文献９】実開昭６０−１３０７３０号公報
【特許文献１０】特開２００１−３２７３３９号公報
【特許文献１１】実開昭６３−３３８３０号公報
【発明の開示】
【発明が解決しようとする課題】
【０００５】
しかし、従来の収納、特にウォークインクローゼット用の棚に関しては次のような問題点があった。
（１）仕切板の位置変更に制約がある。
近年では多くのウォークインクローゼット用の棚に関しては、棚板の上下方向の位置変更が可能であるが（特許文献１，２）、横方向の位置変更に関しては、特許文献１０のように仕切板の移動、特許文献９，１１のような側板移動が提案されているものの、強度の問題からあまり一般的とは言えず、通常は棚の上下方向の位置変更に留まっているのが現状である。
（２）側板や仕切板の下部に突出部がある。
従来品の多くは強度を確保する点から、側板や仕切板の下部を床に固定するＬ金具が必要（特許文献１，２）で、可動式側板固定用レールが必要（特許文献１１）なタイプもある。側板や仕切板の下部に突出部があると、一般家庭でよく使用されるキャスター付きコンテナ型収納ボックスの出し入れに支障がある。そして、金具が邪魔になって側板の幅一杯までは使用できないので側板付近に無駄な空間ができてしまう。また、これらの金具の使用は床面に傷を付けることになる。
（３）強度が低い。
側板が移動できる特許文献９では側板に大きな切れ込みがあり、強度が低い。また、特許文献１０のように、棚板の幅が大の場合は棚に置いた物の重量で棚が撓んでしまう。この、棚の撓みには特許文献９のような中間での支持が効果的だが、この方法では棚板高さの変更の制限がある。
【０００６】
そこで、本発明の目的とするところは、設けられた仕切板の位置変更が容易で、仕切板下部に突出部を設けることなく、しかも全体的に強度をもたせた収納装置を提供することにある。
【課題を解決するための手段】
【０００７】
上記の目的を達成するために、本発明の収納装置は、左右両側壁と床面で囲まれる空間に設けられ、前記左右両側壁間に架設される天板と、前記天板と床面に挟まれる空間内に設けられ、左右方向に間隔をおいて配置される二以上の仕切板と、前記仕切板のうち隣接する仕切板間に設けられる棚板と、からなる収納装置であって、
前記仕切板は、前記天板に着脱可能な結合部材によって固定されるとともに、前記仕切板の取付位置を、前記左右方向の所定位置に変更可能にし、しかも、各仕切板は、少なくとも一枚の、結合部材によって固定される固定用の棚板によって、前記隣接する仕切板に固定されるようにしたことを特徴とする。
【０００８】
また、本発明の収納装置は、一つの側壁と床面で囲まれる角部に設けられ、板面が前記床面に平行に配置されるように、一端が、前記一つの側壁に支持される天板と、前記天板と床面に挟まれる空間内に設けられ、前記一つの側壁に垂直な左右方向に間隔をおいて配置される二以上の仕切板と、前記仕切板のうち隣接する仕切板間に設けられる棚板と、からなる収納装置であって、
前記仕切板は、前記天板に着脱可能な結合部材によって固定されるとともに、前記仕切板の取付位置を、前記左右方向の所定位置に変更可能にし、しかも、各仕切板は、少なくとも一枚の、結合部材によって固定される固定用の棚板によって、前記隣接する仕切板に固定されるようにしたことを特徴とする。
【０００９】
また、前記仕切板のうち、前記一つの側壁から最も離れた仕切板を、前記天板の他端に固定して、側板のようにしてもよい。
さらに、前記天板の、天板と床面に挟まれる空間の背面側を、下側に折り曲げ、その折り曲げ部を前記背面側に設けられた奥壁に取付け、前記仕切板を、前記天板の水平部に加え、前記背面側の折り曲げ部にも固定するようにしてもよい。
さらにまた、前記天板の、天板と床面に挟まれる空間の前面側を、下側に折り曲げ、前記仕切板を、前記天板の水平部に加え、前記前面側の折り曲げ部にも固定するようにしてもよい。
また、前記仕切板を、前記天板と床面に挟まれる空間の背面側に設けられた奥壁に取付けられた取付板に固定するようにしてもよい。
【００１０】
また、本発明の収納装置は、奥壁と床面で囲まれる角部に設けられ、左右両側板と、その左右両側板の背面側に設けられ、前記奥壁に取付けられる取付板と、前記左右両側板と床面に挟まれる空間内に設けられ、その空間を左右に分割する一又は二以上の仕切板と、前記仕切板が一の場合には前記仕切板と前記側板の間に設けられ、前記仕切板が二以上の場合には隣接する仕切板間又は隣接する側板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する側板又は前記隣接する仕切板に固定されるようにしたことを特徴とする。
【００１１】
また、本発明の収納装置は、一つの側壁と奥壁と床面で囲まれる角部に設けられ、前記一つの側壁に垂直な左右方向に間隔をおいて配置される一枚の側板と、その一枚の側板の背面側に設けられ、前記奥壁に取付けられる取付板と、前記一つの側壁と一枚の側板と床面に挟まれる空間内に設けられ、その空間を左右に分割する一又は二以上の仕切板と、前記仕切板が一の場合には前記仕切板と前記側板の間に設けられ、前記仕切板が二以上の場合には隣接する仕切板間又は隣接する側板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する側板又は前記隣接する仕切板に固定されるようにしたことを特徴とする。
【００１２】
また、本発明の収納装置は、左右両側壁と奥壁と床面で囲まれる空間に設けられ、前記奥壁に取付けられる取付板と、前記空間内に設けられ、左右方向に間隔をおいて配置される二以上の仕切板と、前記仕切板のうち隣接する仕切板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する仕切板に固定されるようにしたことを特徴とする。
【００１３】
また、本発明の収納装置は、奥壁と床面で囲まれる角部に設けられ、前記奥壁に取付けられる取付板と、前記奥壁と床面と、それらに垂直で前記取付板の左右端部に位置する平面とで挟まれる空間内に設けられ、その空間を左右に分割する二以上の仕切板と、前記仕切板のうち隣接する仕切板間に設けられる棚板と、からなる収納装置であって、
前記仕切板は、前記取付板に着脱可能な結合部材によって固定されるとともに、前記仕切板の取付位置を、前記左右方向の所定位置に変更可能にし、しかも、前記仕切板は、少なくとも一枚の、結合部材によって固定される固定用の棚板によって、前記隣接する仕切板に固定されるようにしたことを特徴とする。
【００１４】
なお、前記取付板を、水平に延びる上下２本の板材で構成することが好ましい。
また、前記仕切板に固定部材を使用して、床面に対して固定しないことが好ましい。
また、これにかえて、前記仕切板の下面に、仕切板の前記左右より突出することがないように仕切板の厚みよりも狭く、かつ床面に損傷を与えない固定部材を設け、仕切板を、その固定部材を使用して床面に固定するようにすることもできる。
【００１５】
また、前記固定用の棚板にかえて、結合部材によって固定されるパイプを使用することもできる。
【発明の効果】
【００１６】
本発明の収納装置によれば、仕切板は、天板に着脱可能な結合部材によって固定され、さらに隣接する仕切板の間、あるいは仕切板と隣接する側面の間には固定用の棚板が設けられているので、仕切板はその下面を床面に直接固定しなくても強度は十分で安定性がよい。さらに、仕切板を、奥壁に取付けられた取付板や、同じく天板の背面側や前面側を折り曲げた部分にも固定することによってさらに仕切板は安定化する。
よって、仕切板の下面からは突出部がないのでキャスター付きコンテナ型収納ボックスの出し入れに支障が無く、スムースに出し入れ可能である。すなわち仕切板と側壁間の幅一杯までキャスター付きコンテナ型収納ボックスを入れる事が可能である。
また、仕切板の取付位置は、左右方向の所定位置に変更可能であるので、引出しや棚板の位置を様々にすることができる。
【００１７】
また本発明の収納装置によれば、仕切板は、奥壁に取付けられた取付板に着脱可能な結合部材によって固定され、さらに仕切板は、隣接する仕切板か、あるいは、隣接する側板に固定用の棚板を介して固定されるので、仕切板はその下面を床面に直接固定しなくても強度は十分で安定性がよい。
よって、仕切板の下面からは突出部がないのでキャスター付きコンテナ型収納ボックスの出し入れに支障が無く、スムースに出し入れ可能である。すなわち仕切板と側壁間の幅一杯、あるいは、仕切板と側板間の幅一杯までキャスター付きコンテナ型収納ボックスを入れる事が可能である。
また、仕切板の取付位置は、左右方向の所定位置に変更可能であるので、引出しや棚板の位置を様々にすることができる。
【００１８】
また、固定用の棚板にかえて、パイプを使用することによってパイプにハンガー等を掛けることができる等汎用性が広がる。
【発明を実施するための最良の形態】
【００１９】
図面を参照して、本発明の実施形態に係る収納装置について説明する。この収納装置は、これに限定されるものではないが、ウォークインクローゼットとして使用される場合の例を示した。ここでは、側板を使用しないタイプの収納装置を第１実施形態に、天板を使用しないタイプの収納装置を第２実施形態として示す。
【００２０】
（第１実施形態）
本発明の第１実施形態に係る収納装置は、図１乃至図３に示すように、左右両側壁２００，２１０と背面側に位置する奥壁２２０と床面１００で囲まれる空間に設けられ、天板３と、左右二枚の仕切板１１，１２と、その仕切板１１，１２の間に設けられた棚板３１，３２とからなる。ここで、図１は斜視図，図２は正面図，図３は図２のＡ−Ａ断面図を示している。
【００２１】
天板３は、床面１００に対して平行な状態で、左右両側壁２００，２１０間に天板保持具Ｐを介して架設されている。天板保持具Ｐには、ハンガーパイプＨを受ける金具を取付けるためのダボ穴が設けられている。
仕切板１１，１２は、天板３と床面１００に挟まれる空間内に設けられ、左右方向に間隔をおいて平行に配置されている。そして、仕切板１１，１２は、天板３に対して着脱可能な結合部材５０によって強固に固定されている。なお、仕切板１１，１２の天板３に対する取付位置は、左右方向の所定位置に変更可能になっている。
仕切板１１，１２は、床面１００に対しては特に固定部材を使用して固定しないようにしてある。なお、ここでは二つの仕切板１１，１２を使用したが、三つ以上使用することもできる。
【００２２】
棚板３２は仕切板１１，１２に設けられたダボ穴に挿入されたダボＴの上に載置されている。これに対して、棚板３１（図１，図２では正面の部分を，図３では側面の部分を黒塗して示した）は固定用の棚板であり、棚板３１の左側の前側と後側、そして右側の前側と後側には、仕切板１１，１２に設けられたと同様な結合部材５０が設けられ、結合部材５０を介して、棚板３１は隣接する仕切板１１，１２間に強固に取付けられている。
【００２３】
より具体的に説明すると、天板３には、左右水平方向に複数のダボ穴３ａが前後２列にあけられている。ダボ穴３ａは、左側端部から右側端部にかけて共通した等間隔で設けられていて（本実施例ではｎは１〜１３）、その位置であれば、左右方向において仕切板１１，１２の取付位置を容易に変更できるようになっている。例えば、図２に示す場合は、仕切板１１を左から４番目のダボ穴３ａにそして仕切板１２を左から９番目のダボ穴３ａに取付けるようにしたが、これを、図４に示したように、仕切板１１を左から２番目のダボ穴３ａにそして仕切板１２を左から７番目のダボ穴３ａに取付けるようにすることができるといったように、自由に移動可能としてレイアウトを変化させることができる。
【００２４】
また仕切板１１，１２には、図５に示すように、ダボ穴１１ａ，１２ａが前側（天板３に取付けた場合には正面側（図２では紙面の表面側））と後側（天板３に取付けた場合には背面側（図２では紙面の裏面側））にそれぞれ上下方向に等間隔に設けられている。ダボ穴は、予め工場にて一定間隔に穿孔され、ダボ穴は棚板の設置間隔に合わせて決定され、一般には３０〜５０ｍｍ間隔程度で穿孔される場合が多い。
【００２５】
また、仕切板１１，１２の上面側の前側と後側の２箇所には、結合部材５０が設けられていて、天板３に着脱可能に固定されている。同様に固定用の棚板３１にもその左右端前後に結合部材５０が設けられている
この結合部材５０に関しては特に限定されるわけではないが、着脱可能な市販の収納部材組立て用金具を用いた。ピン状のオス金具と回転すると引き寄せの働くメス金具とからなり、ピン状のオス金具は、片方がネジ状もう片方が窪みのある形状となっていて、ドライバー等でダボ穴にねじ込む事が出来る。また、メス金具はオス金具の窪み部分を引き寄せるようになっている（例えば、オス金具をラフィックスボルトとし、メス金具をラフィックス本体とする場合等）。基本的には外部から見て傷を付ける事無く、取付けと撤去が可能なものであればよい。
【００２６】
なお、仕切板間に設けられる固定用の棚板に設けられる結合部材も、着脱可能な結合部材の方が好ましいが、着脱不可能なものを用いても、仕切板１１，１２と固定用の棚板３１を一体化したままで移動できるので、着脱可能なものに限定されない。
また、天板３，仕切板１１，１２，棚板３１，３２の材質は特に限定されるものではなく、木材でも金属でもあるいはプラスチック等であってもよい。
【００２７】
本発明の第１実施形態に係る収納装置の施工方法の一例について説明する。なお、左右両側壁２００，２１０及び奥壁２２０と床面１００で囲まれた空間は、間仕切りパネル等を使用して形成された空間であってもよい。
【００２８】
（１）まず、施工現場において、左右両側壁２００，２１０に仕切板１１あるいは１２を仮設する。それら仕切板１１，１２を定規として、天板保持具Ｐの取り付け位置を左右両側壁２００，２１０に印し、仕切板を取り除いて、天板保持具Ｐの上面を前記印に合わせて壁面に固定する。そして、天板３を天板保持具Ｐを介して左右両側壁２００，２１０に固定する。なお、天板３に設けられるダボ穴３ａは、予め工場にて一定間隔に穿孔され、このダボ穴４ａ，５ａは仕切板１１，１２の設置間隔に合わせて決定される。また、棚板３１，３２の幅と連動するので、概ね１００〜３００ｍｍの適当な設置間隔とするのが好ましい。
（２）次に、上述した結合金具５０を構成する、オス金具（例えば、ラフィックスボルト）を仕切板１１，１２の取付位置に合わせて、天板３にドライバーを使用して締め付け固定する。
（３）次に、仕切板１１，１２をそれぞれ左右両側壁２００，２１０と天板３で囲まれた空間内に挿入し、天板３から突出したオス金具まで仕切板１１，１２をスライドさせ、オス金具を、仕切板１１，１２に設けられた結合金具５０を構成する、メス金具（例えば、ラフィックス本体）に結合し、メス金具をドライバーで締め付けることにより仕切板１１，１２を天板３に強固に固定する。
【００２９】
（４）次に、上述した結合金具５０を構成する、オス金具（例えば、ラフィックスボルト）を固定用の棚板３１の取付位置に合わせて、左側の仕切板１１と右側の仕切板１２にドライバーを使用して締め付け固定する。このとき、オス金具は、仕切板１１，１２に形成されたダボ穴に取付ける。
（５）次に、固定用の棚板３１を仕切板１１，１２間に挿入し、仕切板１１，１２から突出したオス金具に載せるようにして、オス金具を、固定用の棚板３１に設けられた結合金具５０を構成する、メス金具（例えば、ラフィックス本体）に結合し、メス金具をドライバーで締め付けることにより固定用の棚板３１を仕切板１１，１２間に強固に固定する。
なお、固定用の棚板３１の固定位置は、仕切板１１，１２の高さの半分以下、より具体的には３分の１程度であることが安定的に仕切板１１，１２を固定する点において好ましい。
また、天板３，仕切板１１，１２に設けられたダボ穴は、気になるようであれば、取り外し可能なピン状の穴塞ぎを使用して隠蔽しても良い。
【００３０】
そして、その他の棚板３２をダボＴを介して仕切板１１，１２間に取付ける。棚板３２はダボＴ上に載置されるものであり、仕切板１１，１２に直接固定されるものではないが、棚板３１が仕切板１１，１２に固定されているので、仕切板１１，１２は安定的であり、問題はない。ただし、棚板３２に替えて複数枚の固定用の棚板３１を仕切板１１，１２に固定すれば、更に安定性，強度は向上する。なお、上下棚板間に引出等を取付けることも可能であるが、この場合は、引出等の上下に位置する棚板は、ともに固定用の棚板３１であることが好ましい。また、特にキャスター付きのコンテナ型の収納ボックス（図示を省略した）を床面１００から、形成された収納装置の開口部から内側に出し入れすることができる。このとき、仕切板１１，１２の下面には仕切板１１，１２の厚さよりはみ出した固定部材は特に設けられていないので、キャスター付きのコンテナ型の収納ボックスのスムースな出し入れが可能になる。つまり、左側壁２００と仕切板１１の間の幅一杯、仕切板１１，１２間の幅一杯、仕切板１２と右側壁２１０の間の幅一杯までキャスター付きのコンテナ型の収納ボックスを入れることができる。
【００３１】
このように施工された収納装置では、仕切板１１，１２は、その上面側の前後２個所が結合部材５０を介して天板３に固定されるとともに、仕切板１１，１２間には固定用の棚板３１が結合部材５０を介して固定されているので、仕切板１１，１２の下面を直接床面１００に固定しなくても仕切板１１，１２は安定性がよく、ぐらつくことはない。
そして、もし、施工完成後、仕切板１１，１２の位置を変更したい場合、例えば、図２に示した状態から図４に示した状態に変更したい場合は、これまで示した手順を逆に辿り、固定用の棚板も含めた棚板３１，３２を撤去し、仕板板１１，１２の固定を順次解除してから、新たな位置に仕切板１１，１２を移設し、再び一旦撤去した棚板３１，３２を取付ければ良い。ちなみに、移設後の棚板３１の幅と上下位置が移設前と変更のない前述のような場合は、棚板３１を外さずとも、仕切板１１，１２と棚板３１を一体化したまま移動しても良い。仕切板１１，１２の位置変更に関しては天板３に設けられたダボ穴３ａの位置内ならば自由に変更が可能である。なお、仕切板１１，１２の位置を変更する場合等に仕切板１１，１２の下面が床面１００に当接し、床面１００を傷付ける場合が考えられるので、この防止策として、仕切板１１，１２の下面に傷防止用のフェルトやゴム等の緩衝材を装着するようにしてもよい。フェルトを装着すると施工性が向上し、ゴム等を装着すると安定性が増すという効果もある。
【００３２】
なお、図１乃至図３に示す収納装置は、左右両側壁２００，２１０と背面側に位置する奥壁２２０と床面１００で囲まれる空間に設けられるものについて説明したが、特に奥壁２２０がない場合であっても適用可能である。
また、図６に示すように、一つの側壁、例えば左側壁２００と床面１００で囲まれる角部に設けることもできる。この場合には、収納装置を、板面が床面１００に平行に配置されるように、一端が、一つの側壁（左側壁２００）に天板保持具Ｐを介して支持される天板３と、天板３と床面１００に挟まれる空間内に設けられ、一つの側壁（左側壁２００）に垂直な左右方向に間隔をおいて配置される二以上の仕切板、ここでは三つの仕切板１１，１２，１３と、隣接する仕切板１１，１２間に設けられる棚板３１，３２と、同じく隣接する仕切板１１，１３間に設けられる棚板３３から構成し、仕切板１１，１２，１３を、天板３に着脱可能な結合部材５０によって固定するとともに、仕切板１１，１２，１３の取付位置を、左右方向の所定位置に変更可能にし、しかも、各仕切板を、少なくとも一枚の、着脱可能な結合部材５０によって固定される固定用の棚板３１，３３によって、隣接する仕切板に固定することによって適用可能である。
【００３３】
なお、ここでは、仕切板１１，１２，１３のうち、一つの側壁（左側壁２００）から最も離れた仕切板、すなわち最も右側に位置する仕切板１２を、天板３の他端である右端に固定した例を示したが、特にこれに限定されることはなく、天板３の右端から内側（左側）に入った部位に最も右側に位置する仕切板１２を取付けることもできる。
【００３４】
また、図７乃至図９に示すように、図１乃至図３に示す収納装置が有する仕切板１１，１２を、天板３と床面１００に挟まれる空間の背面側に設けられた奥壁２２０に取付けられた上下の取付板４，５にも固定させて、仕切板１１，１２をより一層強固に固定することができる。
図７は、この場合の収納装置を示す正面図であり、図８は図７のＢ−Ｂ断面図である。この場合、図９に示したように、切り欠き１１ｂ，１２ｂを設けた仕切板１１，１２を使用し、上下の取付板４，５をその切り欠き１１ｂ，１２ｂに嵌め込んでいる。そして、仕切板１１，１２の上面前側及び上面後側と、後側（背面側）上部と後側下部（図示を省略した）の４箇所には、結合部材５０が設けられていて、天板３と上下取付板４，５に着脱可能に固定されている。なお、切り欠き１１ｂ，１２ｂを設けることなく、仕切板１１，１２の背面側に取付板４，５が直接接するようにしてもよい。
上側の取付板４には、水平方向に複数のダボ穴４ａが、同じく下側の取付板５にも水平方向に複数のダボ穴５ａがあけられている。ダボ穴４ａ，５ａは、天板３に設けられたダボ穴３ａに対応する位置にあけられている。
【００３５】
この仕様の場合、仕切板１１，１２の上部は天板３と上側取付板４に固定されているのに対し、仕切板１１，１２の下部は下側取付板５にのみに固定されることになるので、固定用の棚板３１の固定位置は、仕切板１１，１２の高さの半分より若干下辺りであることが好ましい。具体的には、高さが１９６３ｍｍの仕切板を用いる場合、床面より９００ｍｍ前後の位置に固定すると、仕切板の撓み防止、下端の安全性を両立できる。
【００３６】
ここでは、取付板４，５を、水平に延びる上下２本の板材で構成したが、その上下の間隔は特に限定されるものではなく、仕切板１１，１２を安定して固定しうる間隔であればよい。例えば、図８では、取付板４の上側に天板３を載置するようにしたが、図１０に示すように、取付板４を天板３から下げて離してもよい。また、取付板を、収納装置の背面全体を覆うような１枚の背板とすることもできる。なお、図８に示すように、取付板４の上側に天板３を載置するような場合には、仕切板１１，１２の上面後側については結合部材５０を省くこともできる。
【００３７】
また、図１１に示すように、天板３の後側（背面側）を下側に向けて折り曲げ、その背面側の折り曲げ部３ｂを、上側の取付板４にかえて奥壁２２０に取付け、仕切板１１，１２を結合部材５０を介して、上側では、天板３の水平部と背面側の折り曲げ部３ｂに取付け、下側では下側の取付板５に取付るようにすることもできる。これによれば、上側の取付板４を天板３で兼用することができる。
【００３８】
また、図１２に示すように、逆に、天板３の前側（前面側）を下側に向けて折り曲げ、その前面側の折り曲げ部３ｃで、取り付けられた仕切板１１，１２の上側を覆うようにし、結合部材５０を介して仕切板１１，１２に固定することもできる。折り曲げ部３ｃに、例えば、Ｖカット加工を施すこともでき、これによれば、非常に加工が困難なコバ貼りをしなくてもよくなる。前面側の折り曲げ部３ｃを設け、上側取付板４とともに下から天板３を支持することにより、仕切板の間隔が広い場合であっても、天板３の歪みを防止することができる。また、天板３の水平部にダボ穴を多数設ける必要もなくなることになるので、天板３の撓みを防止できる。また、図１３，図１４に示すように、天板３の前側の折り曲げ部３ｃを、仕切板１１，１２の前側で上側に設けた切り欠き１１ｃ，１２ｃに嵌め込むようにしてもよい。なお、図１３では、天板３の前側の折り曲げ部３ｃに対して、結合部材５０を水平状態として仕切板１１，１２を取付け、図１４では、結合部材５０を垂直状態として仕切板１１，１２を取付けた場合を示している。
【００３９】
（第２実施形態）
次に、天板を使用しないタイプの収納装置を第２実施形態に示す。
本発明の第２実施形態に係る収納装置は、図１５，図１６に示すように、左右両側壁２００，２１０と背面側に位置する奥壁２２０と床面１００で囲まれる空間に設けられたものであり、第１実施形態の図７で示したものから天板３とそれを支持する天板保持具Ｐ，ハンガーパイプＨを取除いたものと同一である。なお、図１５は正面図であり、図１６は図１５のＣ−Ｃ断面図である。
【００４０】
この収納装置は、奥壁２２０に取付けられる上下二つの取付板４，５と、左右両側壁２００，２１０と背面側に位置する奥壁２２０と床面１００で囲まれる空間内に設けられ、左右方向に間隔をおいて配置される二つの仕切板１１，１２（三以上設けてもよい）と、隣接する仕切板１１，１２間に設けられる固定用の棚板３１と載置式の棚板３２とからなる。
そして、仕切板１１，１２は、取付板４，５に着脱可能な結合部材５０によって固定されるとともに、仕切板１１，１２の取付位置を、左右方向の所定位置に変更可能にし、しかも、仕切板１１は、少なくとも一枚の、着脱可能あるいは着脱不可能な結合部材によって固定される固定用の棚板３１によって、隣接する仕切板１２に固定されている。
【００４１】
なお、取付板４，５は、仕切板１１，１２の後側上下部に設けられた切り欠き１１ｂ，１２ｂに嵌め込まれているが、切り欠き１１ｂ，１２ｂを設けることなく仕切板１１，１２の後側に取付けるようにしてもよい。
【００４２】
これによれば、仕切板１１，１２は、結合部材５０を介して取付板４，５に強固に固定されるとともに、隣接する仕切板１１，１２の間には固定用の棚板３１が同じく結合部材５０を介して設けられているので、仕切板１１，１２は歪むこともなく安定的である。
【００４３】
なお、図１５，図１６に示す収納装置は、左右両側壁２００，２１０と背面側に位置する奥壁２２０と床面１００で囲まれる空間に設けられるものについて説明したが、図１７に示すように、特に左右両側壁２００，２１０がない場合、あるいは、図１８に示すように、一つの側壁だけ、例えば左側壁２００だけで右側壁２１０がない場合であっても適用可能である。
【００４４】
図１７で示す収納装置は、奥壁２２０と床面１００で囲まれる角部に設けられる場合であり、左右両側板１，２と、その左右両側板１，２の背面側に設けられ、奥壁２２０に取付けられる取付板４，５と、左右両側板１，２と床面１００に挟まれる空間内に設けられ、その空間を左右に分割する二つの仕切板１１，１２（三以上であってもよい）と、側板１と仕切板１１の間、仕切板１２と側板２の間、及び、仕切板が二以上の場合には隣接する仕切板１１，１２間に設けられる棚板３１，３２，３３とからなる。
そして、仕切板１１，１２は、取付板４，５に着脱可能な結合部材５０によって固定されるとともに、仕切板１１，１２の取付位置を、左右方向の所定位置に変更可能にし、しかも、各仕切板は、少なくとも一枚の、着脱可能な結合部材５０によって固定される固定用の棚板によって、隣接する側板に固定されるか、あるいは、少なくとも一枚の、着脱可能あるいは着脱不可能な結合部材５０によって固定される固定用の棚板によって、隣接する仕切板に固定されている。ここでは、仕切板１１を固定用の棚板３１によって、左側板１に固定した例を示したが、着脱可能あるいは着脱不可能な結合部材５０によって固定される固定用の棚板３１によって、隣接する仕切板、すなわち右側の仕切板１２に固定するようにしてもよい。また、仕切板１２については固定用の棚板３３によって、右側板２に固定した例を示したが、着脱可能あるいは着脱不可能な結合部材５０によって固定される固定用の棚板３３によって、隣接する仕切板、すなわち左側の仕切板１１に固定するようにしてもよい。
【００４５】
また、図１８で示す収納装置は、一つの側壁（左側壁２００）と奥壁２２０と床面１００で囲まれる角部に設けられる場合であり、左側壁２００に垂直な左右方向に間隔をおいて配置される一枚の側板（図１７の右側板２と同一のもの）と、その側板２の背面側に設けられ、奥壁２２０に取付けられる取付板４，５と、左側壁２００と側板２と床面１００に挟まれる空間内に設けられ、その空間を左右に分割する二つの仕切板１１，１２（三以上であってもよい）と、仕切板１２と側板２の間、及び、仕切板が二以上の場合には隣接する仕切板１１，１２間に設けられる棚板３１，３２，３３とからなる。
そして、仕切板１１，１２は、取付板４，５に着脱可能な結合部材５０によって固定されるとともに、仕切板１１，１２の取付位置を、左右方向の所定位置に変更可能にし、しかも、各仕切板は、少なくとも一枚の、着脱可能な結合部材５０によって固定される固定用の棚板によって、隣接する側板に固定されるか、あるいは、少なくとも一枚の、着脱可能あるいは着脱不可能な結合部材５０によって固定される固定用の棚板によって、隣接する仕切板に固定されている。ここでは、仕切板１２については固定用の棚板３３によって、右側板２に固定した例を示したが、着脱可能あるいは着脱不可能な結合部材５０によって固定される固定用の棚板３３によって、隣接する仕切板、すなわち左側の仕切板１１に固定するようにしてもよい。
【００４６】
また、図１９に示すように、図１７に示した収納装置において、左右両側板１，２を天井３００まで延長して側板保持具Ｑを介して天井３００に固定するようにしてもよい。それに加えて、左右両側板１，２間に天板３を架設し、仕切板１１，１２の上面と結合部材５０を介して固定することもできる。
また、側板保持具Ｑにかえて、レール状のガイドを取付け、左右両側板１，２をガイドに案内させて左右両側板１，２を左右方向に移動自在にすることもできる。
【００４７】
なお、本発明の第１実施形態及び第２実施形態では、仕切板１１，１２を板状のものとしたが、図２０に示すように、外観形状が矩形状の仕切板１１１（ａ），コ字状の仕切板１１２（ｂ），Ｈ字状の仕切板１１３（ｃ）といったスケルトンタイプのものを使用することもできる。
【００４８】
また、本実施形態では、仕切板１１，１２の下面には、特に固定部材を設けないようにしたが、これにかえて、床面１００に損傷を与えない固定部材、例えば、図２１に示すような、ゴムやフェルト付きのアジャスター金具６００を設け、その固定部材６００を使用して床面１００に固定するようにしてもよい。なお、アジャスター金具６００は、仕切板１１，１２の左右より突出することがないように仕切板１１，１２の厚みよりも幅の狭いものが使用されている。
すなわち、図２２（ａ）に示すような、Ｌ金具７０１を仕切板１１，１２の下面に固定した場合には、床面１００に損傷を与えるとともに、キャスター付きのコンテナ型の収納ボックスの出し入れに邪魔になり、また、図２２（ｂ）に示すような、金属性の突起が下部に形成された金具７０２を仕切板１１，１２の下面に固定した場合には、床面１００に損傷を与えることになるから使用することができない。また、仕切板１１，１２の下面に床面１００との固定用に接着剤を使用した場合には、床面１００が汚れるので使用を避けた方がよい。
図２１では、アジャスター金具６００が仕切板１１，１２の下面より露出した状態となっているが、仕切板１１，１２の下面に堀り込みを形成し、そこにアジャスターが納まるようにすることにより、アジャスターの露出を少なくした仕様にすることもできる。
【００４９】
また、本実施形態で設けるようにした固定用の棚板３１にかえてパイプ（図示を省略した）を使用し、そのパイプを着脱可能な結合部材によって側板又は隣接する仕切板に固定するようにしてもよい。
さらには、固定用の棚板３１を伸縮自在で固定時（伸縮調整後）にはその伸縮を不可とするロック機構を有する棚板や、同じく伸縮自在で固定時（伸縮調整後）にはその伸縮を不可とするロック機構を有するパイプで構成することもできる。これによれば、棚板やパイプの幅を気にせずとも自在に設置することができ、伸縮しない固定用の棚板、パイプを使用した場合と同様に、仕切板１１，１２の下部を床面１００に固定しなくても十分な強度を付与することができる。
【００５０】
また、本実施形態では、結合部材５０を介して仕切板１１，１２を天板３に取付けたり（第１実施形態）、同じく結合部材５０を介して取付板３，４に取付けたりしたが（第２実施形態）、レール状のガイドを天板３の下面に取付けたり、取付板３，４の前側に取付ることにより、仕切板１１，１２を左右方向に移動自在にすることもできる。
【図面の簡単な説明】
【００５１】
【図１】本発明の第１実施形態に係る収納装置の外観を示す斜視図である。
【図２】図１の収納装置を示す正面図である。
【図３】図２のＡ−Ａ断面図である。
【図４】図１の収納装置を構成する仕切板の取付位置を変更した場合を示す正面図である。
【図５】図１の収納装置を構成する仕切板の固定状態を示す拡大斜視図である。
【図６】本発明の第１実施形態に係る別の収納装置を示す正面図である。
【図７】本発明の第１実施形態に係る別の収納装置を示す正面図である。
【図８】図７のＢ−Ｂ断面図である。
【図９】図７の収納装置を構成する仕切板の固定状態を示す拡大斜視図である。
【図１０】本発明の第１実施形態に係る別の収納装置を示す断面図である。
【図１１】本発明の第１実施形態に係る別の収納装置を示す断面図である。
【図１２】本発明の第１実施形態に係る別の収納装置を示す断面図である。
【図１３】本発明の第１実施形態に係る別の収納装置を示す断面図である。
【図１４】本発明の第１実施形態に係る別の収納装置を示す断面図である。
【図１５】本発明の第２実施形態に係る収納装置を示す正面図である。
【図１６】図１５のＣ−Ｃ断面図である。
【図１７】本発明の第２実施形態に係る別の収納装置を示す正面図である。
【図１８】本発明の第２実施形態に係る別の収納装置を示す正面図である。
【図１９】本発明の第２実施形態に係る別の収納装置を示す正面図である。
【図２０】本実施形態に係る収納装置を構成する仕切板の別の態様を示す斜視図である。
【図２１】本実施形態に係る収納装置を構成する仕切板の下面に、床面に損傷を与えない固定部材を設けた状態を示す斜視図である。
【図２２】仕切板の下面に床面に損傷を与える固定部材を設けた状態を示す斜視図である。
【符号の説明】
【００５２】
１      側板（左側板）
２      側板（右側板）
３      天板
３ａ    ダボ穴
３ｂ    折り曲げ部
３ｃ    折り曲げ部
４      上側取付板
４ａ    ダボ穴
５      下側取付板
５ａ    ダボ穴
１１      仕切板
１１ａ    ダボ穴
１１ｂ    切り欠き
１１ｃ    切り欠き
１２      仕切板
１２ａ    ダボ穴
１２ｂ    切り欠き
１２ｃ    切り欠き
３１，３３      固定用の棚板
３２      棚板
５０      結合部材
１００      床面
１１１，１１２，１１３      仕切板
２００      左側壁
２１０      右側壁
２２０      奥壁
３００      天井
６００      アジャスター金具
７０１      Ｌ金具
７０２      金具
Ｈ      ハンガーパイプ
Ｔ      ダボ
Ｐ      天板保持具
Ｑ      側板保持具
【図１】
2007039881.tif 000003
【図２】
2007039881.tif 000004
【図３】
2007039881.tif 000005
【図４】
2007039881.tif 000006
【図５】
2007039881.tif 000007
【図６】
2007039881.tif 000008
【図７】
2007039881.tif 000009
【図８】
2007039881.tif 000010
【図９】
2007039881.tif 000011
【図１０】
2007039881.tif 000012
【図１１】
2007039881.tif 000013
【図１２】
2007039881.tif 000014
【図１３】
2007039881.tif 000015
【図１４】
2007039881.tif 000016
【図１５】
2007039881.tif 000017
【図１６】
2007039881.tif 000018
【図１７】
2007039881.tif 000019
【図１８】
2007039881.tif 000020
【図１９】
2007039881.tif 000021
【図２０】
2007039881.tif 000022
【図２１】
2007039881.tif 000023
【図２２】
2007039881.tif 000024